(57)【要約】【課題】外部からの強制的なこじ開けに対し、より一層の防護性を備えた錠前のこじ開け防止装置を提供する。【解決手段】扉側のラッチ挿入開口部Ｐの上下側開口縁に引っ掛かるよう一端に係止部２２を備え、他端に設けた支持部２４によって進退方向に揺動可能としたカマレバー２１と、扉側のラッチ挿入開口部Ｐの前後側開口縁に引っ掛かるよう先端に係止突起３２を備え、他端に設けたスライドガイド溝３３に沿って進退方向にスライド可能としたラッチ３１とを有し、ラッチ３１およびカマレバー２１は共に、施錠・解錠方向に回転可能なラッチレバー１６の操作軸４４によって連繋するスライド操作部２８、３４を有する。【選択図】図６
2011102495.tif 000002
【特許請求の範囲】
【請求項１】
施錠後の扉を強制的にこじ開けるのを防止する錠前のこじ開け防止装置において、
扉側のラッチ挿入開口部の上下側開口縁に引っ掛かるよう一端に係止部を備え、他端に設けた支持部によって進退方向に揺動可能としたカマレバーを有し、
該カマレバーは、施錠・解錠方向に回転可能なラッチレバーの操作軸によって連繋されて連動可能としたスライド操作部を有して成ることを特徴とする錠前のこじ開け防止装置。
【請求項２】
施錠後の扉を強制的にこじ開けるのを防止する錠前のこじ開け防止装置において、
扉側のラッチ挿入開口部の後側開口縁に引っ掛かるよう先端に係止突起を備え、他端に設けたスライドガイド溝に沿って進退方向にスライド可能としたラッチを有し、
該ラッチは、施錠・解錠方向に回転可能なラッチレバーの操作軸によって連繋されて連動可能としたスライド操作部を有して成ることを特徴とする錠前のこじ開け防止装置。
【請求項３】
施錠後の扉を強制的にこじ開けるのを防止する錠前のこじ開け防止装置において、
扉側のラッチ挿入開口部の上下側開口縁に引っ掛かるよう一端に係止部を備え、他端に設けた支持部によって進退方向に揺動可能としたカマレバーと、
扉側のラッチ挿入開口部の後側開口縁に引っ掛かるよう先端に係止突起を備え、他端に設けたスライドガイド溝に沿って進退方向にスライド可能としたラッチとを有し、
ラッチおよびカマレバーは共に、施錠・解錠方向に回転可能なラッチレバーの操作軸によって連繋されて連動可能としたスライド操作部を有して成ることを特徴とする錠前のこじ開け防止装置。
【請求項４】
ラッチレバーのカスタムキーによる施錠方向への回転で、操作軸に連繋されたスライド操作部を介して、ラッチがスライドガイド溝に沿って前進移動するのに連動してカマレバーが支持部を回転軸として前進方向に向けて揺動し、カマレバーの係止部を、前進移動したラッチに対して上下方向へ露出させるよう形成したことを特徴とする請求項１または３記載の錠前のこじ開け防止装置。
【請求項５】
ラッチレバーのカスタムキーによる解錠方向への回転で、操作軸に連繋されたスライド操作部を介して、ラッチがスライドガイド溝に沿って後退移動するのに連動してカマレバーが支持部を回転軸として後退方向に向けて揺動し、カマレバーの係止部を、後退移動するラッチに対して上下内方向に隠蔽させるよう形成したことを特徴とする請求項１または３記載の錠前のこじ開け防止装置。
【発明の詳細な説明】
【技術分野】
【０００１】
本発明は、例えばコインロッカー等において所定枚数のコインで荷物の出し入れを可能としたキーシステムにおいて、扉の外部からの強制的なこじ開けを防止する錠前のこじ開け防止装置に関する。
【背景技術】
【０００２】
コインロッカーのキーシステムは、扉を開けてコインロッカー内に荷物を入れ、コイン投入口から所定枚数のコインを投入してから扉を閉め、予めキーシリンダーに挿入されているカスタムキーを施錠方向に回動してから引き抜き、利用者はこのカスタムキーを所持するものとしている。
【０００３】
従来より、扉には、外部からの強制的なこじ開けに対して様々な防護手段が施されている。例えば特許文献１に開示されているロック構造は、キーの回動操作によりロック用舌片を扉本体に嵌入し、この扉本体の開閉を拘束するロック構造に、ロック用舌片の挿入側先端部に、上下方向の溝部を設けたものである。
【０００４】
これにより、バール・ドライバー等の強制器具を用いて扉を強制的にこじ開けようとすると、ロック用舌片を扉本体に挿入させるための開口部が、当該溝部にはまり込むか、あるいは溝部に引っ掛かって、それ以上の扉の自由な動きを制限するため、扉のこじ開けが防止されるものとしている。
【先行技術文献】
【特許文献】
【０００５】
【特許文献１】特開２００２−２４２４９３号公報
【発明の概要】
【発明が解決しようとする課題】
【０００６】
しかしながら、上記した従来のロック構造では、ロック用舌片が十分な強度を付与すべく、且つ扉の端部パネルに引っ掛かり易い程度の十分な深さの溝部を形成するために、分厚くなり、これによって、強い外力を扉に加えた場合には、ロック用舌片により扉の端部パネルに過度の荷重が掛かることで当該端部パネルが破断し、扉が開けられてしまう可能性があった。
【０００７】
そこで、本発明は、叙上のような従来存した諸事情に鑑み案出されたもので、外部からの強制的なこじ開けに対し、より一層の防護性を備えた錠前のこじ開け防止装置を提供することを目的とする。
【課題を解決するための手段】
【０００８】
上述した課題を解決するために、本発明にあっては、施錠後の扉を強制的にこじ開けるのを防止する錠前のこじ開け防止装置において、
扉側のラッチ挿入開口部の上下側開口縁に引っ掛かるよう一端に係止部を備え、他端に設けた支持部によって進退方向に揺動可能としたカマレバーを有し、
該カマレバーは、施錠・解錠方向に回転可能なラッチレバーの操作軸によって連繋されて連動可能としたスライド操作部を有して成ることを特徴とする。
【０００９】
施錠後の扉を強制的にこじ開けるのを防止する錠前のこじ開け防止装置において、
扉側のラッチ挿入開口部の後側開口縁に引っ掛かるよう先端に係止突起を備え、他端に設けたスライドガイド溝に沿って進退方向にスライド可能としたラッチを有し、
該ラッチは、施錠・解錠方向に回転可能なラッチレバーの操作軸によって連繋されて連動可能としたスライド操作部を有して成ることを特徴とする。
【００１０】
施錠後の扉を強制的にこじ開けるのを防止する錠前のこじ開け防止装置において、
扉側のラッチ挿入開口部の上下側開口縁に引っ掛かるよう一端に係止部を備え、他端に設けた支持部によって進退方向に揺動可能としたカマレバーと、
扉側のラッチ挿入開口部の後側開口縁に引っ掛かるよう先端に係止突起を備え、他端に設けたスライドガイド溝に沿って進退方向にスライド可能としたラッチとを有し、
ラッチおよびカマレバーは共に、施錠・解錠方向に回転可能なラッチレバーの操作軸によって連繋されて連動可能としたスライド操作部を有して成ることを特徴とする。
【００１１】
また、ラッチレバーのカスタムキーによる施錠方向への回転で、操作軸に連繋されたスライド操作部を介して、ラッチがスライドガイド溝に沿って前進移動するのに連動してカマレバーが支持部を回転軸として前進方向に向けて揺動し、カマレバーの係止部を、前進移動したラッチに対して上下外方向へ露出させるよう形成したことを特徴とする。
【００１２】
さらに、ラッチレバーのカスタムキーによる解錠方向への回転で、操作軸に連繋されたスライド操作部を介して、ラッチがスライドガイド溝に沿って後退移動するのに連動してカマレバーが支持部を回転軸として後退方向に向けて揺動し、カマレバーの係止部を、後退移動するラッチに対して上下内方向に隠蔽させるよう形成したことを特徴とする。
【発明の効果】
【００１３】
本発明によれば、外部からの強制的なこじ開けに対し、より一層の防護性を備えた錠前のこじ開け防止装置を提供することができる。
【００１４】
すなわち、請求項１によれば、ラッチレバーのカスタムキーによる施錠方向への回転で、操作軸に連繋されたスライド操作部を介して、ラッチがスライドガイド溝に沿って前進移動するのに連動してカマレバーが支持部を回転軸として前進方向に向けて揺動し、カマレバーの係止部を、前進移動したラッチに対して上下方向へ露出させるので、コインロッカーの扉施錠後の扉を例えばドライバー等で強制的にこじ開ける際には、カマレバー先端の係止部がラッチ挿入開口部の例えば上方側開口縁に引っ掛かることで、扉は横方向に開かないものとなり、こじ開け防止のためのラッチ挿入開口部に対するロック機能が可能となるから、優れた防護性能を備えることができる。
【００１５】
また、請求項２によれば、コインロッカーの扉施錠後の扉を例えばドライバー等で強制的にこじ開ける際には、ラッチ先端の係止突起が扉の開放側縁端部に形成されているラッチ挿入開口部の例えば後方側開口縁に引っ掛かることで、扉は横方向に開かないものとなり、こじ開け防止のためのラッチ挿入開口部に対するロック機能が可能となるから、これまた優れた防護性能を備えることができる。
【００１６】
さらに、請求項３によれば、コインロッカーの扉施錠後の扉を例えばドライバー等で強制的にこじ開ける際には、ラッチ先端の係止突起が扉の開放側縁端部に形成されているラッチ挿入開口部の例えば後方側開口縁に引っ掛かり、これと同時にカマレバー先端の係止部がラッチ挿入開口部の例えば上方側開口縁に引っ掛かることで、扉は横方向に開かないものとなり、こじ開け防止のためのラッチ挿入開口部に対する二重ロック機能が可能となるから、より一層の防護性を備えることができる。例えば、扉の強制的こじ開けに際し、例えばドライバーやバール等の先端部分でラッチ挿入開口部周辺を押し退けて、ラッチの係止突起をラッチ挿入開口部から外そうとしても、カマレバー先端の係止部がラッチ挿入開口部の例えば上方側開口縁に引っ掛かっているので、扉は容易には開かないものとなる。
【００１７】
さらにまた、請求項４、５によれば、ラッチレバーのカスタムキーによる解錠方向への回転で、操作軸に連繋されたスライド操作部を介して、ラッチがスライドガイド溝に沿って後退移動するのに連動してカマレバーが支持部を回転軸として後退方向に向けて揺動し、カマレバーの係止部を、後退移動するラッチに対して上下内方向に隠蔽させるので、コインロッカーの扉解錠に際し、ラッチと共にカマレバーを何等支障なく解錠位置まで後退させることができ、扉の開閉がスムーズに行える。
【図面の簡単な説明】
【００１８】
【図１】本発明を実施するための一形態における錠前のこじ開け防止装置を備えたキーシステムの一例を示すもので、（ａ）は正面図、（ｂ）は背面図である。
【図２】同じく錠前のこじ開け防止装置を構成するカマレバーの一例を示す正面図である。
【図３】同じく錠前のこじ開け防止装置を構成するラッチの一例を示し、（ａ）は正面図、（ｂ）は平面図、（ｃ）は右側面図である。
【図４】（ａ）乃至（ｅ）はキーシステムにおける錠前のこじ開け防止装置の組立工程の一例を示す説明図である。
【図５】錠前のこじ開け防止装置の動作を説明するもので、（ａ）は施錠前の一部切欠背面図、（ｂ）は施錠後の一部切欠背面図、（ｃ）は施錠後の平断面図である。
【図６】施錠状態のキーシステムに外部から強制的なこじ開けが行われている様子を示すもので、（ａ）は一部切欠背面図、（ｂ）は平断面図である。
【発明を実施するための形態】
【００１９】
以下、図面を参照して本発明を実施するための一形態を説明すると、図において示される符号１は、本発明に係るこじ開け防止装置を備えたコインロッカーにおけるキーシステムのシステム本体であり、該システム本体１は、図１（ａ）、図１（ｂ）に示すように、カスタムキー挿入シリンダー２、スライドフレーム３に連繋したマスターカム４を有するマスターキー挿入シリンダー５、コイン投入口６それぞれを備えた前面フレーム１Ａと、コイン投入口６から通じる有料硬貨通路８、硬貨検知通路９それぞれを形成するためにコインメカフレーム１０で隔てられた左側サイドフレーム１Ｂと、該左側サイドフレーム１Ｂに対向してサイドフレーム１１を配した前面フレーム１Ａ右側に形成され、コインロッカーの扉の取っ手側に対向するロッカー開口縁部に固定される右側サイドフレーム１Ｃとによって構成されている。
【００２０】
尚、本発明に係るこじ開け防止装置は、このコインロッカーにおけるキーシステムの構成によって何等左右されるものではなく、他の様々なキーシステム構成に採用しても良いことは勿論である。
【００２１】
コインメカフレーム１０の表面上側には、両側支持部によって揺動可能とした通路切替えレバー１２が傾斜して配され、該通路切替えレバー１２の両端後側にそれぞれ突設した突起が、有料硬貨通路８、硬貨検知通路９それぞれに対応すべくコインメカフレーム１０に穿設した孔部を介して、有料硬貨通路８、硬貨検知通路９それぞれに臨み込ませるようにしてある。そして、施錠状態にあるカスタムキー挿入シリンダー２からカスタムキーＱを引き抜くことで、係脱ピン１３が退避され、係脱プレート１４を介して、枚数切替プレート１５が自体のバネによる回動付勢によってコインメカフレーム１０から開き、コインストップネジの先端部が孔部から離脱されて有料硬貨通路８および硬貨検知通路９内のコインを下方側にある不図示の集金ボックス内に落下させるようにしてある。
【００２２】
カスタムキー挿入シリンダー２のラッチレバー１６は、扉が閉まった際の扉チェッカープレート１７（前面フレーム１Ａの表面に突出する）が押し込まれた状態で、ラッチレバー１６の係止が外れて、カスタムキー挿入シリンダー２に挿入されたカスタムキーＱによってラッチ３１が突出する施錠方向またはラッチ３１が退避する解錠方向のいずれか側に回動可能となっている。
【００２３】
ラッチレバー１６の先端には、一回転方向に回動付勢させたコインチェッカー１８を備え、コインチェッカー１８の先端側は、硬貨検知通路９内にコインが停留している時には硬貨検知通路９から退避され、ラッチレバー１６のカスタムキーＱによる施錠方向への回転が許容され、硬貨検知通路９内にコインが停留していない時には、コインチェッカー１８を係止させてカスタムキーＱによるラッチレバー１６の回転を阻止するものとしてある。
【００２４】
本発明に係るこじ開け防止装置は、略Ｌ字状もしくは略くの字状に折曲されたカマレバー２１と、係止突起を備えた略矩形平板状のラッチ３１との２枚の薄肉・厚板部材の重合配置によって構成されている。このとき、カマレバー２１とラッチ３１とによる２枚重ねのこじ開け防止装置は、図５および図６に示すように扉の開放側縁部におけるＬ字形折り返し部分の側面に形成されているラッチ挿入開口部Ｐの位置に対応させてある。
【００２５】
すなわち、カマレバー２１は、図２に示すように、端部に上方に向けて略三角山形状もしくはクサビ状の係止部２２を備えた幅広な横アーム２３と、端部に円形溝状の支持部２４を備え、外側には係止凹部２５を備えた縦アーム２６とが中央の屈曲部２７を介して略二股状に延設されて成り、屈曲部２７の外側やや横アーム２３側には、角部が切欠された略縦向円弧孔状のスライド操作部２８が穿設され、屈曲部２７の内側には、略横向円弧溝状のスライドガイド溝２９がそれぞれ形成されている。
【００２６】
ラッチ３１は、図３（ａ）乃至図３（ｃ）に示すように、その一端縁側（先端）に例えば円形突起状の３つのボスによる係止突起３２が縦向き等間隔に配置されており、他端（後端）上側には横長のスライドガイド溝３３が内側に向けて穿設され、他端（後端）下側には角部が切欠された略Ｌ字形開口状のスライド操作部３４が穿設されている。
【００２７】
尚、ラッチ３１の係止突起３２は図示したようにボス形状とは限らず、線状の突起であっても良い。また、ラッチ３１のスライド操作部３４は略Ｌ字形開口状に限らず、円弧開口状もしくは直線開口状等のスライド操作部３４であっても良い。
【００２８】
前面フレーム１Ａの背面には、上側の第１支持軸４１および下側の第２支持軸４２を備え、スライドフレーム３には係止軸４３が形成され、ラッチレバー１６の一端には操作軸４４が回動自在に取り付けられている。このうち第１支持軸４１にはカマレバー２１の縦アーム２６端部にある円形溝状の支持部２４が係合されて左右方向に揺動自在となっている。さらに、スライドフレーム３の係止軸４３は、後退移動したカマレバー２１の縦アーム２６にある係止凹部２５に係止されるようになっている。これら第１支持軸４１と係止軸４３とには弦巻状の錠交換フレーム用バネ５１を係架させてある。
【００２９】
第２支持軸４２はラッチ３１のスライドガイド溝３３にスライド自在に係合され、ラッチ３１のスライド操作部３４はカマレバー２１のスライド操作部２８と共にラッチレバー１６の操作軸４４に装着されている。さらに、第２支持軸４２と操作軸４４とには、弦巻状の復帰規制バネ５２を係架させてある。
【００３０】
次に、以上のように構成されたコインロッカーにおけるキーシステムのシステム本体１に対し、本発明に係るこじ開け防止装置を組み付ける手順、および動作の一例について説明すると、図４（ａ）に示すように、先ず、カマレバー２１の支持部２４を上側の第１支持軸４１に嵌め込み、スライドフレーム３の係止軸４３に、後退移動したカマレバー２１の縦アーム２６に設けられた係止凹部２５を係止させておく。このとき、横アーム２３先端上部にある係止部２２はシステム本体１の左側サイドフレーム１Ｂより内側に後退している。
【００３１】
図４（ｂ）に示すように、第１支持軸４１と係止軸４３との間に錠交換フレーム用バネ５１を係架させる。これによって、カマレバー２１自体は後退方向に常時移動付勢される。
【００３２】
図４（ｃ）に示すように、ラッチ３１を左側サイドフレーム１Ｂからシステム本体１内側に挿入し、ラッチ３１のスライドガイド溝３３に第２支持軸４２をスライド自在に係合させる。このとき、ラッチ３１を左側サイドフレーム１Ｂより内奥側まで後退させ、スライド操作部３４がカマレバー２１のスライド操作部２８と合致する位置まで挿入される。また、ラッチ３１先端の係止突起３２が位置する部分だけは左側サイドフレーム１Ｂより外側に僅かに露出している。
【００３３】
図４（ｄ）に示すように、ラッチレバー１６の操作軸４４に、ラッチ３１のスライド操作部３４をカマレバー２１のスライド操作部２８と共に装着し、さらに第２支持軸４２と操作軸４４との間に復帰規制バネ５２を係架する。
【００３４】
これにより、図５（ａ）に示すように、ラッチレバー１６のカスタムキーＱによる解錠方向への回転で、ラッチ３１のスライド操作部３４およびカマレバー２１のスライド操作部２８を介して、ラッチ３１およびカマレバー２１が各々のスライドガイド溝３３、２９に沿って後退移動する。このとき、カマレバー２１の係止部２２は後退移動するラッチ３１に対して上下内方向に隠蔽させられる。この移動後においては、ラッチレバー１６の操作軸４４はスライド操作部３４のＬ字開口上端側に移動して係止されている（図４（ｄ）参照）。
【００３５】
一方、図４（ｅ）および図５（ｂ）、図５（ｃ）に示すように、ラッチレバー１６のカスタムキーＱによる施錠方向への回転で、ラッチ３１のスライド操作部３４およびカマレバー２１のスライド操作部２８を介して、ラッチ３１がスライドガイド溝３３に沿って前進移動する。これに連動してカマレバー２１が支持部２４を回転軸として前進方向に向けて揺動するため、横アーム２３先端上側の係止部２２はラッチ３１の先端側上方へ向けて露出させられる。このとき、ラッチレバー１６の操作軸４４はスライド操作部３４のＬ字開口下端側に移動して係止されている。
【００３６】
図６（ａ）、図６（ｂ）に示すように、コインロッカーの施錠後の扉を例えばドライバーＤ等で強制的にこじ開ける際には、ラッチ３１先端の係止突起３２が扉の開放側縁端部に形成されているラッチ挿入開口部Ｐの後方側開口縁に引っ掛かり、これと同時にカマレバー２１先端の係止部２２がラッチ挿入開口部Ｐの上方側開口縁に引っ掛かることから、扉は横方向に開かないものとなる。すなわち、こじ開け防止のためのラッチ挿入開口部Ｐに対する二重ロック機能が可能となる。
【００３７】
尚、カマレバー２１先端の係止部２２をラッチ挿入開口部Ｐの下方側開口縁に引っ掛かるように下向きに突設しても良い。
【符号の説明】
【００３８】
Ｄ    ドライバー
Ｐ    ラッチ挿入開口部
Ｑ    カスタムキー
１    システム本体
１Ａ  前面フレーム
１Ｂ  左側サイドフレーム
１Ｃ  右側サイドフレーム
２    カスタムキー挿入シリンダー
３    スライドフレーム
４    マスターカム
５    マスターキー挿入シリンダー
６    コイン投入口
８    有料硬貨通路
９    硬貨検知通路
１０  コインメカフレーム
１１  サイドフレーム
１２  通路切替えレバー
１３  係脱ピン
１４  係脱プレート
１５  枚数切替プレート
１６  ラッチレバー
１７  扉チェッカープレート
１８  コインチェッカー
２１  カマレバー
２２  係止部
２３  横アーム
２４  支持部
２５  係止凹部
２６  縦アーム
２７  屈曲部
２８  スライド操作部
２９  スライドガイド溝
３１  ラッチ
３２  係止突起
３３  スライドガイド溝
３４  スライド操作部
４１  第１支持軸
４２  第２支持軸
４３  係止軸
４４  操作軸
５１  錠交換フレーム用バネ
５２  復帰規制バネ
【図１】
2011102495.tif 000003
【図２】
2011102495.tif 000004
【図３】
2011102495.tif 000005
【図４】
2011102495.tif 000006
【図５】
2011102495.tif 000007
【図６】
2011102495.tif 000008